【手続補正書】
【提出日】令和2年7月20日(2020.7.20)
【手続補正１】
【補正対象書類名】特許請求の範囲
【補正対象項目名】全文
【補正方法】変更
【補正の内容】
【特許請求の範囲】
【請求項１】
樹脂成分を含有するトナー粒子を有するトナーであって、
該樹脂成分が、エステル基含有オレフィン系共重合体、及び、架橋体を含有し、
該架橋体は、不飽和結合を有する脂肪族炭化水素樹脂中の不飽和結合の反応物であり、
該エステル基含有オレフィン系共重合体が、
下記式（１）で示されるモノマーユニットＹ１と、
下記式（２）で示されるモノマーユニット及び下記式（３）で示されるモノマーユニットからなる群から選択される少なくとも１種のモノマーユニットＹ２と
を有し、
該樹脂成分に含まれる該エステル基含有オレフィン系共重合体の含有量が、該樹脂成分の全質量に対して、５０質量％以上であり、
該モノマーユニットＹ２の含有量が、該エステル基含有オレフィン系共重合体の全質量に対して、３質量％以上３５質量％以下であることを特徴とするトナー。
【化１】
2018041069.tif 000001
（前記式（１）〜（３）中、Ｒ１はＨ又はＣＨ３を示し、Ｒ２はＨ又はＣＨ３を示し、Ｒ３はＣＨ３又はＣ２Ｈ５を示し、Ｒ４はＨ又はＣＨ３を示し、Ｒ５はＣＨ３又はＣ２Ｈ５を示す。）
【請求項２】
前記エステル基含有オレフィン系共重合体の全質量をＷとし、
前記式（１）で示されるモノマーユニットの質量をｌとし、
前記式（２）で示されるモノマーユニットの質量をｍとし、
前記式（３）で示されるモノマーユニットの質量をｎとしたときに、
前記樹脂成分に含まれる該エステル基含有オレフィン系共重合体における、（ｌ＋ｍ＋ｎ）／Ｗの値は、０．８０以上である、請求項１に記載のトナー。
【請求項３】
前記不飽和結合を有する脂肪族炭化水素樹脂の架橋体の含有量が、樹脂成分の全質量に対して、１．０質量％以上８．０質量％以下である、請求項１又は２に記載のトナー。
【請求項４】
前記不飽和結合を有する脂肪族炭化水素樹脂が、ポリブタジエンである、請求項１〜３のいずれか１項に記載のトナー。
【請求項５】
前記ポリブタジエンの重量平均分子量が、１００００以上３０００００以下である、請求項４に記載のトナー。
【請求項６】
前記ポリブタジエンが、１，２−ポリブタジエン構造を有し、
該ポリブタジエン中の該１，２−ポリブタジエン構造の含有割合が、７０質量％以上であり、
該１，２−ポリブタジエン構造中、５０質量％以上がシンジオタクチック構造体である、請求項４又は５に記載のトナー。
【請求項７】
前記ポリブタジエンの融点が、６０℃以上８０℃以下である、請求項４〜６のいずれか１項に記載のトナー。
【請求項８】
前記樹脂成分が、エチレン−メタクリル酸共重合体及びエチレン−アクリル酸共重合体の少なくとも一方をさらに含有する、請求項１〜７のいずれか１項に記載のトナー。
【請求項９】
前記エステル基含有オレフィン系共重合体が、
１２０℃以上１６０℃以下の軟化点を有するエステル基含有オレフィン系共重合体Ａ、及び、７０℃以上１００℃以下の軟化点を有するエステル基含有オレフィン系共重合体Ｂを含有する、請求項１〜８のいずれか１項に記載のトナー。
【請求項１０】
前記トナー粒子は、融点が５０℃以上１００℃以下の脂肪族炭化水素を含有し、
該脂肪族炭化水素の含有量が、前記樹脂成分１００質量部に対して、１質量部以上４０質量部以下である、請求項１〜９のいずれか１項に記載のトナー。
【請求項１１】
前記トナー粒子は、シリコーンオイルを含有し、
該シリコーンオイルの含有量は、前記樹脂成分１００質量部に対して、１質量部以上２０質量部以下である、請求項１〜１０のいずれか１項に記載のトナー。
【請求項１２】
前記エステル基含有オレフィン系共重合体が、エチレン−酢酸ビニル共重合体である、請求項１〜１１のいずれか１項に記載のトナー。
【請求項１３】
樹脂成分を含有するトナー粒子を有するトナーの製造方法であって、
該樹脂成分が、エステル基含有オレフィン系共重合体、及び、架橋体を含有し、
該架橋体は、不飽和結合を有する脂肪族炭化水素樹脂が、該不飽和結合の反応により架橋されたものであり、
該樹脂成分を生成する樹脂微粒子が水系媒体に分散された、樹脂微粒子分散液を調製する調製工程、及び、
該樹脂微粒子中に存在する該不飽和結合を有する脂肪族炭化水素樹脂を、架橋剤を用いて架橋する架橋工程を含み、
該エステル基含有オレフィン系共重合体が、
下記式（１）で示されるモノマーユニットＹ１と、
下記式（２）で示されるモノマーユニット及び下記式（３）で示されるモノマーユニットからなる群から選択される少なくとも１種のモノマーユニットＹ２と
を有し、
該樹脂成分に含まれる該エステル基含有オレフィン系共重合体の含有量が、該樹脂成分の全質量に対して５０質量％以上であり、
該モノマーユニットＹ２の含有量が、該エステル基含有オレフィン系共重合体の全質量に対して、３質量％以上３５質量％以下であることを特徴とするトナーの製造方法。
【化２】
2018041069.tif 000002
（前記式（１）〜（３）中、Ｒ１はＨ又はＣＨ３を示し、Ｒ２はＨ又はＣＨ３を示し、Ｒ３はＣＨ３又はＣ２Ｈ５を示し、Ｒ４はＨ又はＣＨ３を示し、Ｒ５はＣＨ３又はＣ２Ｈ５を示す。）
【請求項１４】
前記樹脂微粒子分散液を調製する調製工程の後に、
該樹脂微粒子を凝集して凝集体粒子を形成する凝集工程、及び、
該凝集体粒子を加熱して融合する融合工程をさらに有し、
前記架橋工程が、該樹脂微粒子分散液を調製する調製工程から該凝集工程までの間に、前記架橋剤を用いて、該樹脂微粒子中に存在する該不飽和結合を有する脂肪族炭化水素樹脂を架橋する工程である、請求項１３に記載のトナーの製造方法。
【請求項１５】
前記樹脂微粒子が、
樹脂微粒子Ａ及び樹脂微粒子Ｂを含み、
該樹脂微粒子Ａはエステル基含有オレフィン系共重合体を含有し、不飽和結合を有する脂肪族炭化水素樹脂を含有せず、
該樹脂微粒子Ｂは、エステル基含有オレフィン系共重合体及び不飽和結合を有する脂肪族炭化水素樹脂を含有し、該樹脂微粒子Ｂの体積基準のメジアン径が５０ｎｍ以上１０００ｎｍ以下であり、
前記架橋工程が、前記樹脂微粒子分散液を調製する調製工程終了後から前記凝集工程開始までの間に、前記架橋剤を用いて、該樹脂微粒子Ｂ中に存在する該不飽和結合を有する脂肪族炭化水素樹脂を架橋する工程であり、
前記凝集工程が、樹脂微粒子Ａ及び該架橋工程を経た樹脂微粒子Ｂを凝集して凝集体粒子を形成する工程である、請求項１４に記載のトナーの製造方法。
【請求項１６】
前記樹脂微粒子Ｂ中の不飽和結合を有する脂肪族炭化水素樹脂の含有量が、該樹脂微粒子Ｂを構成する樹脂全量に対して、５質量％以上２０質量％以下である、請求項１５に記載のトナーの製造方法。
【請求項１７】
前記エステル基含有オレフィン系共重合体が、エチレン−酢酸ビニル共重合体であり、
前記不飽和結合を有する脂肪族炭化水素樹脂が、ポリブタジエンである、請求項１３〜１６のいずれか１項に記載のトナーの製造方法。
【手続補正２】
【補正対象書類名】明細書
【補正対象項目名】０００６
【補正方法】変更
【補正の内容】
【０００６】
すなわち、本発明は、
樹脂成分を含有するトナー粒子を有するトナーであって、
該樹脂成分が、エステル基含有オレフィン系共重合体、及び、架橋体を含有し、
該架橋体は、不飽和結合を有する脂肪族炭化水素樹脂中の不飽和結合の反応物であり、
該エステル基含有オレフィン系共重合体が、
下記式（１）で示されるモノマーユニットＹ１と、
下記式（２）で示されるモノマーユニット及び下記式（３）で示されるモノマーユニットからなる群から選択される少なくとも１種のモノマーユニットＹ２と
を有し、
該樹脂成分に含まれる該エステル基含有オレフィン系共重合体の含有量が、該樹脂成分の全質量に対して、５０質量％以上であり、
該モノマーユニットＹ２の含有量が、該エステル基含有オレフィン系共重合体の全質量に対して、３質量％以上３５質量％以下であることを特徴とするトナーである。
また、本発明は、
樹脂成分を含有するトナー粒子を有するトナーの製造方法であって、
該樹脂成分が、エステル基含有オレフィン系共重合体、及び、架橋体を含有し、
該架橋体は、不飽和結合を有する脂肪族炭化水素樹脂が、該不飽和結合の反応により架橋されたものであり、
該樹脂成分を生成する樹脂微粒子が水系媒体に分散された、樹脂微粒子分散液を調製する調製工程、及び、
該樹脂微粒子中に存在する該不飽和結合を有する脂肪族炭化水素樹脂を、架橋剤を用いて架橋する架橋工程を含み、
該エステル基含有オレフィン系共重合体が、
下記式（１）で示されるモノマーユニットＹ１と、
下記式（２）で示されるモノマーユニット及び下記式（３）で示されるモノマーユニットからなる群から選択される少なくとも１種のモノマーユニットＹ２と
を有し、
該樹脂成分に含まれる該エステル基含有オレフィン系共重合体の含有量が、該樹脂成分の全質量に対して５０質量％以上であり、
該モノマーユニットＹ２の含有量が、該エステル基含有オレフィン系共重合体の全質量に対して、３質量％以上３５質量％以下であることを特徴とするトナーの製造方法である。